(57)【特許請求の範囲】
【請求項１】
下梯子（２）に上梯子（３）を伸縮自在に保持し、上梯子（３）の左右各支柱（９，１０）に、下梯子（２）に対する上梯子（３）の上方移動は許容するが下方移動は下梯子（２）の踏み桟（８）にロック部材（２７）を上方から係合させることで阻止するロック装置（５）を設けており、
前記各ロック装置（５）は、上梯子（３）の支柱（９，１０）に固定された取付台（２５）と、この取付台（２５）に回動軸（２６）を介して枢支された前記ロック部材（２７）と、前記回動軸（２６）にコイル巻き部（４８）が外嵌していて前記ロック部材（２７）を上下回動したときに中立位置へ復帰させる巻きバネ（２８）とを有しており、
前記巻きバネ（２８）の両端バネ脚（４９，５０）は、取付台（２５）に係合するとともに、前記ロック部材（２７）が上回動したときに両端バネ脚（４９，５０）の一方を他方に対して巻き方向に移動してコイル巻き部（４８）を巻き締め、かつロック部材（２７）が下回動したときに両端バネ脚（４９，５０）の他方を一方に対して巻き方向に移動してコイル巻き部（４８）を巻き締めるべくロック部材（２７）と係合していることを特徴とする伸縮梯子。
【請求項２】
前記取付台（２５）には、回動軸（２６）廻りに所定間隔をおいて配置されていて前記両端バネ脚（４９，５０）にそれぞれ係合する第１、第２の脚受け部（４２，４３）と、各脚受け部（４２，４３）に係合したバネ脚（４９，５０）がコイル巻き締め方向への移動を許容する第１、第２脚通路（４４，４５）とが設けられ、
前記ロック部材（２７）には、前記両端バネ脚（４９，５０）にそれぞれ係合してコイル巻き締め方向へ移動させる第１、第２の脚係合部（６０，６１）が形成され、中立位置にあるときに前記両脚係合部（６０，６１）に両端バネ脚（４９，５０）が係合されていることを特徴とする請求項１に記載の伸縮梯子。
【請求項３】
前記取付台（２５）は前記第１、第２の脚通路（４４，４５）が回動軸（２６）廻りに１８０°偏位して形成され、この第１、第２の脚通路（４４，４５）は回動軸（２６）廻りに近接する端部に前記第１、第２の脚受け部（４２，４３）が設けられ、前記巻きバネ（２８）は両バネ脚（４９，５０）を閉脚させて取付台（２５）の前記第１、第２の脚受け部（４２，４３）に係合され、前記ロック部材（２７）の第１、第２の脚係合部（６０，６１）は上回動時及び下回動時に両端バネ脚（４９，５０）を相対的に開脚させることを特徴とする請求項２記載の伸縮梯子。
【請求項４】
前記取付台（２５）は前記第１、第２の脚通路（４４，４５）が共通の脚通路として形成され、この共通脚通路の両端側に前記第１、第２の脚受け部（４２，４３）が設けられ、前記巻きバネ（２８）は両バネ脚（４９，５０）を開脚させて取付台（２５）の前記第１、第２の脚受け部（４２，４３）に係合され、前記ロック部材（２７）の第１、第２の脚係合部（６０，６１）は上回動時及び下回動時に両端バネ脚（４９，５０）を相対的に閉脚させることを特徴とする請求項２記載の伸縮梯子。
【発明の詳細な説明】
【技術分野】
【０００１】
本発明は、伸長状態をロック可能にした伸縮梯子に関するものである。
【背景技術】
【０００２】
従来、下梯子と、この下梯子に対して上下方向に伸縮自在な上梯子とを備えた伸縮梯子は公知であって、この種の伸縮梯子には、下梯子に対して上梯子を上方移動（伸長）させた後、上梯子が勝手に下降（収縮）しないようにロックするためのロック装置が設けられている。下梯子及び上梯子は、左右一対の支柱を上下複数段の踏み桟によって連結した構造となっており、ロック装置は、上梯子の左右一対の支柱それぞれに対して、左右対称とされたものが装備されている。
【０００３】
左右の各ロック装置は、下梯子に対する上梯子の上方移動は許容するが下方移動は下梯子の踏み桟にロック部材を上方から係合させることで阻止して、伸長状態をロックする構成となっている（例えば、特許文献１等参照）。
すなわち、ロック部材は、上梯子に設けられた回動軸に対して上下どちら方向にも揺動自在に枢支されており、回動軸には、巻きバネがそのコイル巻き部を外嵌させて取り付けられている。この巻きバネは、一方のバネ脚をロック部材に係合し、他方のバネ脚を上梯子に対して係合し、ロック部材が上下揺動すると、巻きバネの巻き締め又は巻き戻しの復元力によって、揺動位置から上梯子に対して直角の中立位置に復帰させるようになっている。
【先行技術文献】
【特許文献】
【０００４】
【特許文献１】実用新案登録第３０８１０１４号公報
【発明の概要】
【発明が解決しようとする課題】
【０００５】
前記従来のロック装置では、上梯子の左側支柱に装備させるものと右側支柱に装備させるものとで、左右対称の巻きバネ（巻き締め方向が相対逆向きとなるもの）を２種、使用する必要があり、部品点数の多数化に繋がっていた。また、このような２種の巻きバネは、製作精度上の特性により、ロック部材が静止する位置（ロック部材が下梯子へ向けて突出する角度）に左右でズレを発生させることになり、動作のバラツキなどを生じさせていた。
【０００６】
更に、上梯子を上方移動させる場合、ロック部材は、下梯子の踏み桟に下方から当接することにより静止状態から更に下方へ回動するが、このとき左右の巻きバネはいずれも巻き戻し（緩め）方向に外力を受けることになる。そのため、バネ自体の耐久性が低下（バネ力の低下や折損などを招来）しやすいという問題があった。
本発明は、上記事情に鑑みてなされたものであって、ロック装置に関して低コスト化、動作の確実性、耐久性の向上など、各種問題を解決除去できるようにした伸縮梯子を提供することを目的とする。
【課題を解決するための手段】
【０００７】
前記目的を達成するために、本発明は次の手段を講じた。
即ち、本発明に係る伸縮梯子１は、下梯子２に上梯子３を伸縮自在に保持し、上梯子３の左右各支柱９，１０に、下梯子２に対する上梯子３の上方移動は許容するが下方移動は下梯子２の踏み桟８にロック部材２７を上方から係合させることで阻止するロック装置５（５Ａ，５Ｂ）を設けており、前記各ロック装置５（５Ａ，５Ｂ）は、上梯子３の支柱９，１０に固定された取付台２５と、この取付台２５に回動軸２６を介して枢支された前記ロック部材２７と、前記回動軸２６にコイル巻き部４８が外嵌していて前記ロック部材２７を上下回動したときに中立位置へ復帰させる巻きバネ２８とを有しており、前記巻きバネ２８の両端バネ脚４９，５０は、取付台２５に係合するとともに、前記ロック部材２７が上回動したときに両端バネ脚４９，５０の一方を他方に対して巻き方向に移動してコイル巻き部４８を巻き締め、かつロック部材２７が下回動したときに両端バネ脚４９，５０の他方を一方に対して巻き方向に移動してコイル巻き部４８を巻き締めるべくロック部材２７と係合していることを特徴とする。
【０００８】
このように巻きバネ２８は、ロック部材２７を上回動後に中立位置へ復帰させるときも、またロック部材２７を下回動後に中立位置へ復帰させるときも、コイル巻き部４８を巻き締めるようにしてバネ力を強める構成であり、上梯子３の左側支柱９に装備させるロック装置５（５Ａ）と右側支柱１０に装備させるロック装置５（５Ｂ）とで、同じもの（巻き締め方向が同じもの）を使用できることになる。
【０００９】
これにより部品の共通化（少数化）や組み立ての容易化が可能となり、ロック装置５、ひいては伸縮梯子１の全体としての低コスト化が可能となる。また、上梯子３の左右の各支柱９，１０にロック装置５（５Ａ，５Ｂ）を装備させることで、巻きバネ２８におけるバネ脚４９，５０の係合関係が反対向きになったとしても、ロック部材２７を静止させる中立位置（ロック部材２７が下梯子２へ向けて突出する角度）は、左右で正確に同一にできるので、見栄えや動作も左右のバラツキ無く良好となる。
【００１０】
更に、ロック部材２７が上下いずれの方向に回動するときも、巻きバネ２８は巻き戻し（緩め）方向に外力を受けることはないので、バネ力の低下や折損なども起こりにくくなり、その耐久性が向上する。
前記取付台２５には、回動軸２６廻りに所定間隔をおいて配置されていて前記両端バネ脚４９，５０にそれぞれ係合する第１、第２の脚受け部４２，４３と、各脚受け部４２，４３に係合したバネ脚４９，５０がコイル巻き締め方向への移動を許容する第１、第２脚通路４４，４５とが設けられ、前記ロック部材２７には、前記両端バネ脚４９，５０にそれぞれ係合してコイル巻き締め方向へ移動させる第１、第２の脚係合部６０，６１が形成され、中立位置にあるときに前記両脚係合部６０，６１に両端バネ脚４９，５０が係合されているものとすればよい。
【００１１】
なお、前記取付台２５は前記第１、第２の脚通路４４，４５が回動軸２６廻りに１８０°偏位して形成され、この第１、第２の脚通路４４，４５は回動軸２６廻りに近接する端部に前記第１、第２の脚受け部４２，４３が設けられ、前記巻きバネ２８は両バネ脚４９，５０を閉脚させて取付台２５の前記第１、第２の脚受け部４２，４３に係合され、前記ロック部材２７の第１、第２の脚係合部６０，６１は上回動時及び下回動時に両端バネ脚４９，５０を相対的に開脚させる構成を採用することができる。
【００１２】
または、前記取付台２５は前記第１、第２の脚通路４４，４５が共通の脚通路として形成され、この共通脚通路の両端側に前記第１、第２の脚受け部４２，４３が設けられ、前記巻きバネ２８は両バネ脚４９，５０を開脚させて取付台２５の前記第１、第２の脚受け部４２，４３に係合され、前記ロック部材２７の第１、第２の脚係合部６０，６１は上回動時及び下回動時に両端バネ脚４９，５０を相対的に閉脚させる構成を採用することもできる。
【発明の効果】
【００１３】
本発明に係る伸縮梯子は、中立位置での左右ロック部材の先端高さが合わせ易く、ロック動作の確実性、耐久性を向上できる。
【図面の簡単な説明】
【００１４】
【図１】本発明の第１実施形態のロック装置を示す側面図である。
【図２】（Ａ）は伸縮梯子全体の正面図であり、（Ｂ）は右側面図である。
【図３】図２のＡ部拡大図である。
【図４】図２のＢ−Ｂ線断面図である。
【図５】（Ａ）はロック部材が上回動した状態を示す一部省略側面図であり、（Ｂ）は中立位置を示す側面図であり、（Ｃ）は下回動した状態を示す一部省略側面図である。
【図６】ロック部材係合状態を示す正面図である。
【図７】ロック装置の取付台の側面図である。
【図８】ロック装置の巻きバネの側面図である。
【図９】ロック装置のロック部材の側面図である。
【図１０】ロック装置の底面図である。
【図１１】（Ａ）は第２実施形態のロック部材が上回動した状態を示す一部省略側面図であり、（Ｂ）は中立位置を示す側面図であり、（Ｃ）は下回動した状態を示す一部省略側面図である。
【図１２】第２実施形態の取付台の側面図である。
【図１３】第２実施形態のロック部材の側面図である。
【図１４】第２実施形態のロック装置の底面図である。
【図１５】（Ａ）は第３実施形態のロック部材が上回動した状態を示す一部省略側面図であり、（Ｂ）は中立位置を示す側面図であり、（Ｃ）は下回動した状態を示す一部省略側面図である。
【図１６】第３実施形態の取付台の側面図である。
【図１７】第３実施形態の巻きバネの側面図である。
【図１８】第３実施形態のロック部材の側面図である。
【図１９】第３実施形態のロック装置の底面図である。
【図２０】（Ａ）は第４実施形態のロック部材が上回動した状態を示す一部省略側面図であり、（Ｂ）は中立位置を示す側面図であり、（Ｃ）は下回動した状態を示す一部省略側面図である。
【図２１】第４実施形態の取付台の側面図である。
【図２２】第４実施形態のロック部材の側面図である。
【図２３】第４実施形態のロック装置の底面図である。
【発明を実施するための形態】
【００１５】
以下、本発明の実施の形態を、図面に基づき説明する。
［第１実施形態］
図１乃至図１０は、本発明に係る伸縮梯子１の第１実施形態を示している。図２乃至図４に示すように、この伸縮梯子１は、下梯子２と、この下梯子２に対して長手方向移動自在（上下動自在）に保持された上梯子３と、下梯子２に対して上梯子３を昇降操作するための操作ロープ手段４と、下梯子２に対する上梯子３の上方移動は許容するが下方移動は阻止するロック装置５とを有している。
【００１６】
下梯子２は、左右一対の支柱６，７と、これら両支柱６，７を連結する上下複数段の踏み桟８とを備えている。上梯子３も同様で、左右一対の支柱９，１０と、これら両支柱９，１０を連結する上下複数段の踏み桟１１とを備えている。
図３及び図４に示すように、下梯子２の支柱６，７は、断面コ字状等の引き抜き条材を素材として互いの溝部６ａ，７ａが左右方向内向きに対向するように配置され、これら各支柱６，７の下端部には接地部材１２が取り付けられ、上端部には溝部６ａ，７ａの上端部を塞ぐキャップ部材１３が取り付けられている。
【００１７】
また、下梯子２の踏み桟８は、断面が中空台形の引き抜きパイプ材により形成されており、その左右両端部は、左右の支柱６，７に対してそれらの各溝部６ａ，７ａ内へ差し込まれた状態で、各支柱６，７の前後溝壁を貫通させるようにしてリベット止めされている。この下梯子２には、中途高さにある上下２段の踏み桟８を上下方向に連結する状態で把手１５が取り付けられている。
【００１８】
上梯子３の支柱９，１０は、断面コ字状等の引き抜き条材を素材として互いの溝部９ａ，１０ａが左右方向内向きに対向するように配置され、これら各支柱９，１０の上下両端部には、溝部９ａ，１０ａの両端部を塞ぐキャップ部材１６が取り付けられている。
また上梯子３の踏み桟１１は、断面が中空台形の引き抜きパイプ材により形成されており、その左右両端部は、左右の支柱９，１０に対してそれらの各溝部９ａ，１０ａ内へ差し込まれた状態で、各支柱９，１０の前後溝壁を貫通させるようにしてリベット止めされている。この上梯子３には、上方寄りの踏み桟１１と左右の各支柱９，１０とのコーナー部とを斜め方向に連結する状態でブレース１７が取り付けられている。
【００１９】
操作ロープ手段４は、下梯子２の一方の支柱７に対してその上部側面で回転自在に設けられた滑車１９と、上梯子３の一方の支柱１０に対してその下部側面に両端部が接続され、ロープ中途部を滑車１９に巻き掛けた操作ロープ２０とを有している。
また、上梯子３の両支柱９，１０には、それらの下端部から下梯子２の両支柱６，７を抱えるように突出するガイド部材２１が設けられ、下梯子２の両支柱６，７には、それらの上端部から上梯子３の両支柱９，１０を抱えるように突出するガイド部材２２が設けられている。これら各ガイド部材２１，２２は、下梯子２に対して上梯子３を上下動させるときに、それぞれ相手側の支柱に沿って摺動するようになっており、両梯子２，３間の並行間隔を一定にして摺動安定性を確保すると共に、摺動距離を制限（抜け止め）する作用を奏する。
【００２０】
図１乃至図１０において、ロック装置５は、上梯子３に対し、左側の支柱９に装備される左側ロック装置５Ａと、右側の支柱１０に装備される右側ロック装置５Ｂとがある。これら両ロック装置５Ａ，５Ｂは基本構成は同じであるが、取付位置の違いによって左右対称となっている。以下では、主として左側ロック装置５Ａについて説明する。
このロック装置５Ａは、上梯子３の支柱９に固定される取付台２５と、この取付台２５に回動軸２６を介して枢支されたロック部材２７と、このロック部材２７を上下回動したときに中立位置へ復帰させる巻きバネ２８とを有している。
【００２１】
取付台２５は、左右方向（図４の左右方向、図１０の上下方向）に所定間隔をおいて設けられた覆い側支持板３２及び基礎側支持板３３と、これら両支持板３２，３３を連結する連結部３４と、基礎側の支持板３３に対してその上辺部及び下辺部から突出して設けられた上下一対の台脚３５，３６と、これら各台脚３５，３６の突端部から上下外向きとなるように屈曲状に設けられた取付片３７，３８とを有し、上下の取付片３７，３８はリベット又はボルト等の締結具４０を介して支柱９に固定されている。
【００２２】
上下の台脚３５，３６によって、両支持板３２，３３の相互間スペースの一部又は全部は、溝部９ａから溝外へ突出（露出）されている。
連結部３４は、両支持板３２，３３の後辺部同士を連結し、両支持板３２，３３間に前方（下梯子２側）及び上下両方に開放されたスペースを形成しており、このスペース内にロック部材２７と巻きバネ２８とを配置している。前記回動軸２６は、このスペースを横切るようにして両支持板３２，３３の中心間に架設される。
【００２３】
覆い側の支持板３２には、回動軸２６廻りに所定間隔をおいて配置された第１脚受け部４２及び第２脚受け部４３と、第１脚受け部４２から第２脚受け部４３へ向かって延びる第１脚通路４４と、第２脚受け部４３から第１脚受け部４２へ向かって延びる第２脚通路４５とが形成されている。
第１，第２の脚通路４４，４５は、回動軸２６の軸心（図７では回動軸２６を架設するために形成された取付孔４７の中心に相当）から一定の半径を保持させて外周部を円弧状に凹ませることにより、この凹んだ円弧状周縁部に沿ったスペースとして形成させてある。
【００２４】
第１実施形態において、第１脚通路４４と第２脚通路４５とは、互いに連通して外見的な区別のない共通の脚通路として形成されている。また、この共通脚通路（第１，第２の脚通路４４，４５）は、支持板３２の下辺部に配置されている。
これに対し、第１脚受け部４２は、共通脚通路（第１，第２の脚通路４４，４５）の一端部（図７の左側）を径方向外方へ張り出させるようにした段差部分により、その内隅に形成したものであり、第２脚受け部４３は、共通脚通路（第１，第２の脚通路４４，４５）の他端部（図７の右側）を径方向外方へ張り出させるようにした段差部分により、その内隅に形成したものである。すなわち、この共通脚通路（第１，第２の脚通路４４，４５）の両端側に前記第１，第２の脚受け部４２，４３が設けられている。
【００２５】
図８に示すように、巻きバネ２８は、コイル巻き部４８と、このコイル巻き部４８の両端側で径方向外方へ巻き出された一対のバネ脚４９，５０とを有したもので、コイル巻き部４８が前記回動軸２６に外嵌されるようになる。
両バネ脚４９，５０の無負荷時の開脚角度αは、３０〜４５°程度（第１実施形態ではα＝３８．５°とした）であり、両バネ脚４９，５０を近づけることにより閉脚させ、この開脚角度αを狭めるようにすることで、コイル巻き部４８が巻き締められ、両バネ脚４９，５０を開脚させる方向で作用するバネ力が強まる。
【００２６】
一方のバネ脚５０は、コイル巻き部４８から巻き出された後、回動軸２６の軸心方向に沿ってコイル巻き部４８の外周面を横切るように折曲されており（図１０参照）、この折曲部によって係合部５０ａが形成されている。また他方のバネ脚４９は、コイル巻き部４８から巻き出された後、回動軸２６の軸心方向に沿ってコイル巻き部４８を横切らない方向（コイル巻き部４８から離れる方向）に折曲されており、この折曲部によって係合部４９ａが形成されている。
【００２７】
すなわち、この巻きバネ２８において、両バネ脚４９，５０の各係合部４９ａ，５０ａは、コイル巻き部４８から互いに同じ方向へ並んで突出するようになっている。そのためこの巻きバネ２８を、コイル巻き部４８が回動軸２６に外嵌する状態にして取付台２５に取り付けたとき、両バネ脚４９，５０は、支持板３２における前記第１，第２の脚受け部４２，４３にそれぞれ係合するようになる。このとき両バネ脚４９，５０は無負荷の開脚状態から少しだけ閉脚させて、弱いバネ力が生じた状態とされる。
【００２８】
図９に示すように、ロック部材２７は、中心部に回動軸２６を挿通させる軸孔５２が形成されたボス部５３と、このボス部５３から周方向の一方向へ向けて張り出し状に設けられたロック片部５４とを有している。
ロック片部５４は、恰も魚の尾びれのように、上下の両斜め方向へ鋭角三角形状に突出する一対の角部５５，５６を有して、これら両角部５５，５６の上下間に三角形状の切欠部５７が形成された板片とされている。上角部５５は突出量が小さく、下角部５６は突出量が大きく形成されている。
【００２９】
また、切欠部５７は、図１に示すように、このロック片部５４が斜め下方へ向けられたときに、下梯子２の踏み桟８に対して、その上面と背面との２面に線接触状態で係合するような内隅角で形成されている。
ボス部５３は略円盤形に形成されており、その外周部には、巻きバネ２８のバネ脚４９に係合する第１脚係合部６０と、バネ脚５０に係合する第２脚係合部６１とが形成されている。
【００３０】
第１，第２の脚係合部６０，６１は、軸孔５２の中心から一定の半径を保持させて外周部を円弧状に凹ませ、この凹ませ部分の両端部を径方向外方へ張り出させるようにした段差部により、その内隅に形成したものである。
図５（Ｂ）は、ロック部材２７のボス部５３を取付台２５における覆い側の支持板３２へ重ね、これらを回動軸２６で串刺し状に位置合わせした状態で、ロック片部５４が上梯子３から下梯子２へ向けて突出する中立位置を示している。
【００３１】
この図５（Ｂ）から明かなように、ロック部材２７の第１，第２の脚係合部６０，６１は、中立位置で丁度、下向きとなるように配置され、取付台２５（支持板３２）に設けられた第１，第２の脚受け部４２，４３とそれぞれ合致するようになっている。従って、回動軸２６に巻きバネ２８のコイル巻き部４８を外嵌させることで、両バネ脚４９，５０は、開脚状態のまま、ロック部材２７の第１，第２の脚係合部６０，６１と、取付台２５の第１，第２の脚受け部４２，４３との両方に係合するようになっている。
【００３２】
また、図５（Ａ）に示すようにロック部材２７を上回動させれば、ロック部材２７の第２脚係合部６１で巻きバネ２８のバネ脚５０を閉脚方向へ押し、このときバネ脚５０は、取付台２５の第２脚受け部４３から共通脚通路（第２脚通路４５に相当）を介して第１脚受け部４２へ向けた移動が許容され、他方のバネ脚４９に近づき、その結果、巻きバネ２８はコイル巻き部４８を巻き締めるようになる。
【００３３】
反対に、図５（Ｃ）に示すようにロック部材２７を下回動させれば、ロック部材２７の第１脚係合部６０で巻きバネ２８のバネ脚４９を閉脚方向へ押し、このときバネ脚４９は、取付台２５の第１脚受け部４２から共通脚通路（第１脚通路４４に相当）を介して第２脚受け部４３へ向けた移動が許容され、他方のバネ脚５０に近づき、その結果、巻きバネ２８はコイル巻き部４８を巻き締めるようになる。
【００３４】
このように、ロック部材２７は、中立位置から上下いずれの方向に回動するときにも、巻きバネ２８のコイル巻き部４８を巻き締めるようになっている。なお、ロック部材２７が中立位置にあるときに、巻きバネ２８は両バネ脚４９，５０を開脚させて、一方のバネ脚４９を第１脚係合部６０及び第１脚受け部４２に係合させ、他方のバネ脚５０を第２脚係合部６１及び第２脚受け部４３に係合させている。
【００３５】
そのため、巻きバネ２８は、ロック部材２７を上回動後に中立位置へ復帰させるバネ力と、ロック部材２７を下回動後に中立位置へ復帰させるバネ力とが略同じである。これらのことにより、ロック部材２７の中立位置は正確且つ確実に維持されるものである。
このような構成の左側ロック装置５Ａに対し、右側ロック装置５Ｂは前記したように基本構成は同じであるが、上梯子３への取付位置の違いによって左側ロック装置５Ａとは左右対称の構造となっている。
【００３６】
例えば右側ロック装置５Ｂの取付台２５は、図４に示すように、上下の台脚３５，３６を有する基礎側の支持板３３が右側配置とされ、第１，第２の脚受け部４２，４３及び共通脚通路（第１，第２の脚通路４４，４５）の設けられた覆い側の支持板３２が左側配置とされている。
また、両支持板３２，３３の間で、巻きバネ２８とロック部材２７とが並ぶ左右方向の配置関係も、左側ロック装置５Ａの場合とは相対逆になっている。
【００３７】
但し、巻きバネ２８は、前記したようにロック部材２７が中立位置から上下いずれの方向に回動するときにも、コイル巻き部４８を巻き締めるように用いられるもので、ロック部材２７を上回動後に中立位置へ復帰させるバネ力と、ロック部材２７を下回動後に中立位置へ復帰させるバネ力とは略同じである。
更に言えば、巻きバネ２８は、コイル巻き部４８から開脚状態で巻き出された両脚バネ脚４９，５０に、回動軸２６の軸心方向に沿って互いに同じ方向へ並んで突出する係合部４９ａ，５０ａが設けられたものである。
【００３８】
このようなことから、巻きバネ２８は、左側ロック装置５Ａで使用する場合には、一方のバネ脚４９を第１脚係合部６０及び第１脚受け部４２に係合させ、他方のバネ脚５０を第２脚係合部６１及び第２脚受け部４３に係合させるものとし、右側ロック装置５Ｂで使用する場合には、一方のバネ脚４９を第２脚係合部６１及び第２脚受け部４３に係合させ、他方のバネ脚５０を第１脚係合部６０及び第１脚受け部４２に係合させるものとすることができる。
【００３９】
すなわち、巻きバネ２８は、左右のロック装置５Ａ，５Ｂで互いに同じもの（共通部品）を使用できることになる。
次に、本発明に係る伸縮梯子１において、その使用状況に基づきながら主な作用を説明する。
伸縮梯子１を収縮させた状態において、滑車１９から正面側へ垂れている操作ロープ２０を下方に引き下げると、下梯子２に対して上梯子３が上方移動（伸張）する。このとき、左右のロック装置５Ａ，５Ｂでは、ロック部材２７の上角部５５が下梯子２の踏み桟８に下から当接するようになり、これによりロック部材２７は下回動する。
【００４０】
ロック部材２７の下回動により、図５（Ｃ）に示すように、ロック部材２７の第１脚係合部６０が巻きバネ２８のバネ脚４９を閉脚方向へ押し、バネ脚４９が取付台２５の第１脚受け部４２から第２脚受け部４３へ向けて移動し、即ち、バネ脚４９がバネ脚５０に対して巻き方向に移動する。従って、巻きバネ２８はコイル巻き部４８を巻き締めて、バネ力を強めるようになり、ロック部材２７を上回動させようと付勢する。
【００４１】
ロック部材２７の上角部５５が下梯子２の踏み桟８に当接している間、ロック部材２７は下回動した状態を保持するが、上角部５５が踏み桟８から外れると（踏み桟８の上側へ出るとき）、ロック部材２７は巻きバネ２８のバネ力で上回動する。これにより、下角部５６が踏み桟８の背面に当接するようになる。
左右ロック部材２７の先端高さ、即ち、左右上角部５５の高さが上下にズレていると、踏み桟８から外れるタイミングが異なることになり、左右一方が踏み桟８から外れても、他方が踏み桟８に当接したままの状態が起こり得る。しかし、ロック部材２７を上下どちらに揺動しても巻きバネ２８を巻き締め方向に作用させると、中立位置の左右ロック部材２７の先端高さを正確に一致させることができ、それによって踏み桟８から外れるタイミングを一致させることができる。
【００４２】
そこで、下角部５６が踏み桟８の背面に当接しているときに、操作ロープ２０の引き下げ操作を止めて更に操作ロープ２０を少し緩める（上梯子３の上方移動を中止して少し下降させる）ようにすると、ロック部材２７の切欠部５７が踏み桟８の上面と背面との２面に線接触状態で係合するようになる（図１参照）。これにより、ロック部材２７が回動不能な状態に固化されるため、下梯子２に対する上梯子３の下方移動を阻止させることができる。
【００４３】
なお、切欠部５７が踏み桟８に係合した後も操作ロープ２０の引き下げ操作（上梯子３を上方移動させる操作）を続ければ、下角部５６も踏み桟８との係合を外すようになるので、上梯子３を所望するだけ上方移動させることができる。
一方、上昇後（伸張後）の伸縮梯子１を収縮させるには、操作ロープ２０を少しだけ引き下げて、下梯子２に対して上梯子３を少しだけ上方移動させる。このとき、左右のロック装置５Ａ，５Ｂでは、下梯子２の踏み桟８に対するロック部材２７（切欠部５７）の係合が解除され、下角部５６が踏み桟８の背面を擦りながら上方へ移動するようになる。
【００４４】
下角部５６が踏み桟８から外れると（踏み桟８の上側へ出るとき）、ロック部材２７は巻きバネ２８のバネ力で上回動する。これにより、ロック部材２７の第１，第２の脚係合部６０，６１と、取付台２５の第１，第２の脚受け部４２，４３とが合致し、且つこれらに巻きバネ２８の両バネ脚４９，５０が開脚状態で係合するようになって、ロック部材２７は、中立位置を保持するようになる。
【００４５】
この状態で操作ロープ２０を緩めると、上梯子３が自荷重によって下降するようになる。このとき、左右のロック装置５Ａ，５Ｂでは、ロック部材２７の下角部５６が下梯子２の踏み桟８に上から当接するようになり、これによりロック部材２７は上回動する。
ロック部材２７の上回動により、図５（Ａ）に示すように、ロック部材２７の第２脚係合部６１が巻きバネ２８のバネ脚５０を閉脚方向へ押し、バネ脚５０が取付台２５の第２脚受け部４３から第１脚受け部４２へ向けて移動し、即ち、バネ脚５０がバネ脚４９に対して巻き方向に移動する。従って、巻きバネ２８はコイル巻き部４８を巻き締めて、バネ力を強めるようになり、ロック部材２７を下回動させようと付勢する。
【００４６】
ロック部材２７の下角部５６が下梯子２の踏み桟８に当接している間、ロック部材２７は上回動した状態を保持するが、下角部５６が踏み桟８から外れると（踏み桟８の下側へ出るとき）、ロック部材２７は巻きバネ２８のバネ力で下回動する。下角部５６は上角部５５よりも突出量が大きいため、ロック部材２７の下回動時に上角部５５が踏み桟８に当接することはない。これにより、上梯子３を下方移動させることができる。
【００４７】
以上説明したところから明かなように、伸縮梯子１では、上梯子３の左右の各支柱９，１０にロック装置５Ａ，５Ｂを装備させることで巻きバネ２８のバネ脚４９，５０の係合関係が反対向きになっても、ロック部材２７を静止させる中立位置（ロック部材２７が下梯子２へ向けて突出する角度）は左右で正確に同一にでき、ロック部材２７が上下いずれの方向に回動するときも、巻きバネ２８は巻き戻し（緩め）方向に外力を受けることはないので、その耐久性が向上する。
【００４８】
また、巻きバネ２８は左右のロック装置５Ａ，５Ｂで互いに同じもの（共通部品）を使用でき、部品の少数化や組み立ての容易化が可能となるので、ロック装置５Ａ，５Ｂの低コスト化が可能となる。
［第２実施形態］
図１１乃至図１４は、ロック装置５の第２実施形態を示している。以下では、主として左側のロック装置５Ａについて説明する。
【００４９】
第２実施形態のロック装置５が、前記第１実施形態のロック装置５と異なるところは巻きバネ２８の装着向きにあり、その他の基本的な構成や作用効果などは第１実施形態と略同じである。
すなわち、前記第１実施形態では、ロック部材２７が中立位置にあるとき（図１（Ｂ）参照）に巻きバネ２８は両バネ脚４９，５０を下方へ向けて開脚させていたが、第２実施形態では、ロック部材２７が中立位置にあるとき（図１１（Ｂ）参照）に、巻きバネ２８は両バネ脚４９，５０をロック部材２７の突出方向とは反対向き（後方）へ向けて開脚させるようになっている。そして、ロック部材２７が中立位置から上下一方へ回動すると、両バネ脚４９，５０の一方が他方に対して巻きバネ２８の巻き方向に移動して、巻きバネ２８を巻き締めする。
【００５０】
このように巻きバネ２８を装着するため、図１２に示すように、取付台２５では、基礎側の支持板３３に対して、回動軸２６の軸心（取付孔４７の中心）から一定の半径を保持させた円弧状の長孔を形成させてある。すなわち、この円弧状長孔の両端位置を第１，第２の脚受け部４２，４３とし、円弧状長孔の孔内スペースを第１，第２の脚受け部４２，４３としている。第２実施形態でも、第１脚通路４４と第２脚通路４５とは、互いに連通して外見的な区別のない共通の脚通路として形成されている。
【００５１】
また、図１３に示すように、ロック部材２７では、ボス部５３の外周部のうち、ロック片部５４とは反対向きとなる位置に対して円弧状凹ませ部分を形成させ、この凹ませ部分の両端部に第１，第２の脚係合部６０，６１が設けられている。
第２実施形態では、取付台２５において基礎側の支持板３３に第１，第２の脚受け部４２，４３及び共通脚通路（第１，第２の脚受け部４２，４３）を設けているので、図１４に示すように、ロック部材２７のボス部５３は、取付台２５における基礎側の支持板３３へ重ね合わせるようにし、ボス部５３と覆い側の支持板３２との間に巻きバネ２８を配置させるようにする。
【００５２】
なお、基礎側の支持板３３に第１，第２の脚受け部４２，４３及び共通脚通路（第１，第２の脚受け部４２，４３）を設けることは限定されるものではなく、覆い側の支持板３２に第１，第２の脚受け部４２，４３及び共通脚通路（第１，第２の脚受け部４２，４３）を設けるようにしてもよい。
第２実施形態では、取付台２５を上下方向で対称形とできるので、この取付台２５についても左側ロック装置５Ａと右側ロック装置５Ｂとで共通使用できるものとなり、この点で部品点数の一層の少数化が可能となる利点がある。
［第３実施形態］
図１５乃至図１９は、ロック装置５の第３実施形態を示している。以下では、主として左側のロック装置５Ａについて説明する。
【００５３】
第３実施形態のロック装置５Ａが、前記第１実施形態のロック装置５Ａと異なるところは巻きバネ２８に生じさせるバネ力の作用方向（巻き構造）と、取付台２５及びロック部材２７における巻きバネ２８の装着構造とにある。その他の基本的な構成や作用効果などは第１実施形態と略同じである。
すなわち、図１７に示すように、巻きバネ２８は側面視において、コイル巻き部４８の両端側で径方向外方へ巻き出された一対のバネ脚４９，５０が、互いに開脚する方向へ突出しており、その突出の途中でクロスするようになっている。
【００５４】
両バネ脚４９，５０のクロス角度βは、７５〜９０°程度（第３実施形態では８３°とした）であり、このクロス角度βを広げるように両バネ脚４９，５０を開脚させることで、コイル巻き部４８が巻き締められ、両バネ脚４９，５０を閉脚させる方向で作用するバネ力が強まる（即ち、このバネ力の作用向きが第１実施形態とは逆となっている）。
各バネ脚４９，５０に折曲した係合部４９ａ，５０ａが形成され、これらがコイル巻き部４８から互いに同じ方向へ並んで突出するようになっている点は第１実施形態の場合と同じである（図１９参照）。
【００５５】
このような巻きバネ２８に対し、図１６に示すように、取付台２５には、覆い側の支持板３２に対して、回動軸２６（図１７では回動軸２６を架設するために形成された取付孔４７を参照）廻りに１８０°偏位した２箇所へ振り分けられる配置で第１、第２の脚通路４４，４５が各別に形成されている。第３実施形態において、第１脚通路４４は支持板３２の下辺部に配置されたものとしてあり、第２脚通路４５は支持板３２の上辺部に配置されたものとしてある。
【００５６】
これら第１，第２の脚通路４４，４５は、回動軸２６の軸心（取付孔４７の中心）から一定の半径を保持させて外周部を円弧状に凹ませることにより、この凹んだ円弧状周縁部に沿ったスペースとして形成させてある。
また、第１脚通路４４の一端部（図１６の右側）を径方向外方へ張り出させるようにした段差部分により、その内隅に第１脚受け部４２が形成されており、第２脚通路４５の一端部（図１６の右側）を径方向外方へ張り出させるようにした段差部分により、その内隅に第２脚受け部４３が形成されている。すなわち、これら第１，第２脚通路４４，４５において、回動軸２６廻りに近接する右方の端部に第１，第２の脚受け部４２，４３が設けられている。
【００５７】
巻きバネ２８を、コイル巻き部４８が回動軸２６に外嵌する状態にして取付台２５に取り付けるとき、両バネ脚４９，５０は、支持板３２における前記第１，第２の脚受け部４２，４３にそれぞれ係合するようになる。このとき両バネ脚４９，５０は、図１７に二点鎖線で示すように、無負荷時のクロス状態から少しだけ開脚させて、所定のバネ力が生じた状態とされる（第３実施形態では５５°程度開いてβ＝１３８°とした）。
【００５８】
一方、図２０に示すように、ロック部材２７においてボス部５３の外周部に形成される第１，第２の脚係合部６０，６１は、ロック部材２７が中立位置となるとき、第１脚係合部６０が下向きで、第２脚係合部６１が上向きとなるように、背合わせとなる位置関係で配置されている。これにより、取付台２５（支持板３２）に設けられた第１，第２の脚受け部４２，４３とそれぞれ合致するようになっている。
【００５９】
第３実施形態のロック装置５Ａでは、図１５（Ａ）に示すようにロック部材２７を上回動させれば、ロック部材２７の第１脚係合部６０で巻きバネ２８のバネ脚４９を開脚方向へ押し、このときバネ脚４９は、取付台２５の第１脚受け部４２から第１脚通路４４を介して当該第１脚受け部４２と離反する方向へ移動が許容され、その結果、巻きバネ２８はコイル巻き部４８を巻き締めるようになる。
【００６０】
反対に、図１５（Ｃ）に示すようにロック部材２７を下回動させれば、ロック部材２７の第２脚係合部６１で巻きバネ２８のバネ脚５０を開脚方向へ押し、このときバネ脚５０は、取付台２５の第２脚受け部４３から第２脚通路４５を介して当該第２脚受け部４３と離反する方向へ移動が許容され、その結果、巻きバネ２８はコイル巻き部４８を巻き締めるようになる。
【００６１】
このように、ロック部材２７は、中立位置から上下いずれの方向に回動するときにも、巻きバネ２８のコイル巻き部４８を巻き締めるようになっている。なお、ロック部材２７が中立位置にあるときに、巻きバネ２８は両バネ脚４９，５０を閉脚させて、一方のバネ脚４９を第１脚係合部６０及び第１脚受け部４２に係合させ、他方のバネ脚５０を第２脚係合部６１及び第２脚受け部４３に係合させている。
【００６２】
第３実施形態のロック装置５において、前記いた以外の動作状況やその作用効果などは第１実施形態と略同じであるので、ここでの詳説は省略する。
［第４実施形態］
図２０乃至図２３は、ロック装置５の第４実施形態を示している。主として左側のロック装置５Ａについて説明する。ロック装置５は、巻きバネ２８の装着向きと、取付台２５及びロック部材２７における巻きバネ２８の装着構造とを除き、その他の基本的な構成や作用効果などは前記第３実施形態のロック装置５と略同じである。
【００６３】
すなわち、前記第３実施形態では、ロック部材２７が中立位置にあるとき（図１５（Ｂ）参照）に巻きバネ２８は両バネ脚４９，５０をロック部材２７の突出方向とは反対向き（後方）へ向けて開脚させていたが、第４実施形態では、ロック部材２７が中立位置にあるとき（図２０（Ｂ）参照）に、巻きバネ２８は両バネ脚４９，５０をロック部材２７の突出方向と同じ向き（前方）へ向けて開脚させるようになっている。
【００６４】
このように巻きバネ２８を装着するため、図２１に示すように、取付台２５には、覆い側の支持板３２に対して、回動軸２６（取付孔４７を参照）廻りに１８０°偏位して形成される第１、第２の脚通路４４，４５では、ロック部材２７が中立位置で突出する方に近い端部（図２１の左側）に第１，第２の脚受け部４２，４３が設けられている。第１脚通路４４及び第１脚受け部４２が支持板３２の下辺部に配置されたものとしてあり、第２脚通路４５及び第２脚受け部４３が支持板３２の上辺部に配置されたものとしてある点は、第３実施形態と同じである。
【００６５】
また、図２２に示すように、ロック部材２７では、ボス部５３からロック片部５４が張り出すようになる根本部（括れ部）の上下内隅で、第１，第２の脚係合部６０，６１が設けられるようになっている。
ロック部材２７が中立位置となるとき、第１脚係合部６０が下向きで、第２脚係合部６１が上向きとなるように、背合わせとなる位置関係で配置されている点は、第３実施形態と同じである。勿論、これら第１，第２の脚係合部６０，６１が、取付台２５（支持板３２）に設けられた第１，第２の脚受け部４２，４３とそれぞれ合致するようになっている点も、第３実施形態と同じである。
【００６６】
第４実施形態のロック装置５Ａでは、図２０（Ａ）に示すようにロック部材２７を上回動させれば、ロック部材２７の第２脚係合部６１で巻きバネ２８のバネ脚５０を開脚方向へ押し、このときバネ脚５０は、取付台２５の第２脚受け部４３から第２脚通路４５を介して当該第２脚受け部４３と離反する方向へ移動が許容され、その結果、巻きバネ２８はコイル巻き部４８を巻き締めるようになる。
【００６７】
反対に、図２０（Ｃ）に示すようにロック部材２７を下回動させれば、ロック部材２７の第１脚係合部６０で巻きバネ２８のバネ脚４９を開脚方向へ押し、このときバネ脚４９は、取付台２５の第１脚受け部４２から第１脚通路４４を介して当該第１脚受け部４２と離反する方向へ移動が許容され、その結果、巻きバネ２８はコイル巻き部４８を巻き締めるようになる。
【００６８】
このように、ロック部材２７は、中立位置から上下いずれの方向に回動するときにも、巻きバネ２８のコイル巻き部４８を巻き締めるようになっている。なお、ロック部材２７が中立位置にあるときに、巻きバネ２８は両バネ脚４９，５０を閉脚させて、一方のバネ脚４９を第１脚係合部６０及び第１脚受け部４２に係合させ、他方のバネ脚５０を第２脚係合部６１及び第２脚受け部４３に係合させている。
【００６９】
第４実施形態では、取付台２５を上下方向で対称形とできるので、この取付台２５についても左側ロック装置５Ａと右側ロック装置５Ｂとで共通使用できるものとなり、この点で部品点数の一層の少数化が可能となる利点がある。
本発明は、前記各実施形態に限定されるものではなく、実施の形態に応じて適宜変更可能である。
【００７０】
例えば、伸縮梯子１の基本構成として、下梯子２と上梯子３だけによる２段伸縮が限定されるものではなく、２段以上の伸縮が可能とされたものにおいて、上下関係を成す梯子間で前記した各ロック装置５を適用することも可能である。
また、脚立や足場などに用いられる伸縮タイプの脚体として、本発明に係る伸縮梯子１を実施することもできる。
【符号の説明】
【００７１】
１      伸縮梯子
２      下梯子
３      上梯子
５      ロック装置
８      下梯子の踏み桟
９      上梯子の左支柱
１０    上梯子の右支柱
２５    取付台
２６    回動軸
２７    ロック部材
４８    コイル巻き部
２８    巻きバネ
４２    第１脚受け部
４３    第２脚受け部
４４    第１脚通路
４５    第２脚通路
４９    バネ脚
５０    バネ脚
６０    第１脚係合部
６１    第２脚係合部
【図１】
0005385172.tif 000002
【図２】
0005385172.tif 000003
【図３】
0005385172.tif 000004
【図４】
0005385172.tif 000005
【図５】
0005385172.tif 000006
【図６】
0005385172.tif 000007
【図７】
0005385172.tif 000008
【図８】
0005385172.tif 000009
【図９】
0005385172.tif 000010
【図１０】
0005385172.tif 000011
【図１１】
0005385172.tif 000012
【図１２】
0005385172.tif 000013
【図１３】
0005385172.tif 000014
【図１４】
0005385172.tif 000015
【図１５】
0005385172.tif 000016
【図１６】
0005385172.tif 000017
【図１７】
0005385172.tif 000018
【図１８】
0005385172.tif 000019
【図１９】
0005385172.tif 000020
【図２０】
0005385172.tif 000021
【図２１】
0005385172.tif 000022
【図２２】
0005385172.tif 000023
【図２３】
0005385172.tif 000024